(57)【要約】【課題】旋回プレート体の角度を変えて植物を様々な角度で鑑賞することができると共に、植物が日光を十分に浴びて光合成を行い、植物を順調に成長させることが可能な旋回鉢構造を提供する。【解決手段】旋回鉢構造は、鉢本体１０及び旋回プレート体２０を備える。鉢本体１０は、水受空間１１が内部に形成され、旋回プレート体２０が上に蓋設される。旋回プレート体２０の底部には、下向きに延びたフランジ２１が取り囲むように設けられる。フランジ２１の外径は、鉢本体１０の内径に等しい。旋回プレート体２０のフランジ２１は、鉢本体１０上に嵌設される。旋回プレート体２０の外側面には、外方に延びたレバー２２が設けられ、使用者がレバー２２を用いて旋回プレート体２０を旋回させる。旋回プレート体２０の表面の等分位置には、複数のホール２３が形成され、ホール２３が植栽鉢としてそれぞれ用いられる。【選択図】図３
0003215647.tif 000002
【実用新案登録請求の範囲】
【請求項１】
鉢本体及び旋回プレート体を備えた旋回鉢構造であって、
前記鉢本体は、水受空間が内部に形成され、前記旋回プレート体が上に蓋設され、
前記旋回プレート体の底部には、下向きに延びたフランジが取り囲むように設けられ、前記フランジの外径は、前記鉢本体の内径に等しく、前記旋回プレート体の前記フランジは、前記鉢本体上に嵌設され、前記旋回プレート体の外側面には、外方に延びたレバーが設けられ、使用者が前記レバーを用いて前記旋回プレート体を旋回させ、前記旋回プレート体の表面の等分位置には、複数のホールが形成され、前記ホールが植栽鉢としてそれぞれ用いられることを特徴とする旋回鉢構造。
【請求項２】
前記植栽鉢は、土耕植物を植付ける土耕用植栽鉢であることを特徴とする請求項１に記載の旋回鉢構造。
【請求項３】
前記植栽鉢は、水耕植物を植付ける水耕用植栽鉢であることを特徴とする請求項１に記載の旋回鉢構造。
【請求項４】
前記旋回プレート体の表面には、前記複数のホール間に位置する円形をなす複数の通気孔が形成されることを特徴とする請求項１に記載の旋回鉢構造。
【請求項５】
前記旋回プレート体の表面には、前記複数のホール間に位置する長円形をなす複数の通気溝が形成されることを特徴とする請求項１に記載の旋回鉢構造。
【考案の詳細な説明】
【技術分野】
【０００１】
本考案は、鉢構造に関するものであり、さらに詳しくは、旋回プレート体の角度を変えて植物を様々な角度で鑑賞することができると共に、植物が日光を十分に浴びて光合成を行い、植物を順調に成長させることが可能な旋回鉢構造に関するものである。
【背景技術】
【０００２】
従来の植栽鉢は、植物を植えることにしか使用できない上、同時に多種類の植物を組み合わせて植えることもできず、外観が比較的単調で特色がないという問題点及び欠点があったため、改善が求められていた。
【０００３】
また、従来の植栽鉢は、太陽光の照射方向に応じて鉢の角度を自由に変えることができないため、植物が日光を浴びて光合成を十分に行うことができず、植物が順調に成長しないという問題点及び欠点があったため、改善が求められていた。
【考案の概要】
【考案が解決しようとする課題】
【０００４】
従って、本考案の主な課題は、植物を様々な角度で鑑賞することができると共に、植物に日光（光線）を十分に浴びさせて光合成を行い、植物を順調に成長させる鉢構造を提供することにある。
【課題を解決するための手段】
【０００５】
そこで、本考案者は、前記の本考案の課題を解決するために鋭意検討を重ねた結果、後述のように鉢全体と、角度を変えることが可能な旋回プレート体とからなる旋回鉢構造を提供することにより前記課題を解決できることに着目し、かかる知見に基いて本考案に想到するに至った。
すなわち、本考案によれば、鉢本体及び旋回プレート体を備え、鉢本体は、水受空間が内部に形成され、旋回プレート体が上に蓋設され、旋回プレート体の表面の等分位置には、複数のホールが形成され、ホールが植栽鉢としてそれぞれ用いられ、旋回プレート体の底部には、下向きに延びたフランジが取り囲むように設けられ、フランジの外径は、鉢本体の内径に等しく、旋回プレート体のフランジは、鉢本体上に嵌設され、旋回プレート体の外側面には、外方に延びたレバーが設けられ、使用者がレバーを用いて旋回プレート体を旋回させて植物を様々な角度で鑑賞することができる上、旋回プレート体の角度を変えて植物に日光（光線）を十分に浴びさせて光合成を行い、植物を順調に成長させることが可能な旋回鉢構造を提供するものであえる。
【０００６】
かくして、本考案の要旨は、次の（１）〜（５）に記載の通りのものである。
（１）鉢本体及び旋回プレート体を備えた旋回鉢構造であって、
前記鉢本体は、水受空間が内部に形成され、前記旋回プレート体が上に蓋設され、
前記旋回プレート体の底部には、下向きに延びたフランジが取り囲むように設けられ、前記フランジの外径は、前記鉢本体の内径に等しく、前記旋回プレート体の前記フランジは、前記鉢本体上に嵌設され、前記旋回プレート体の外側面には、外方に延びたレバーが設けられ、使用者が前記レバーを用いて前記旋回プレート体を旋回させ、前記旋回プレート体の表面の等分位置には、複数のホールが形成され、前記ホールが植栽鉢としてそれぞれ用いられることを特徴とする旋回鉢構造。
（２）前記植栽鉢は、土耕植物を植付ける土耕用植栽鉢であることを特徴とする前記（１）に記載の旋回鉢構造。
（３）前記植栽鉢は、水耕植物を植付ける水耕用植栽鉢であることを特徴とする前記（１）に記載の旋回鉢構造。
（４）前記旋回プレート体の表面には、前記複数のホール間に位置する円形をなす複数の通気孔が形成されることを特徴とする前記（１）に記載の旋回鉢構造。
（５）前記旋回プレート体の表面には、前記複数のホール間に位置する長円形をなす複数の通気溝が形成されることを特徴とする前記（１）に記載の旋回鉢構造。
【考案の効果】
【０００７】
本考案は、前記の通りの構成からなるものであり、使用者がレバーを用いて旋回プレート体を旋回させることにより、植物を様々な角度で観賞することができ、また、旋回プレート体の角度を変え、植物が十分に日光を浴びて光合成を行わせることができ、植物を病害から守り十分に成長させることができる。
【図面の簡単な説明】
【０００８】
【図１】図１は、本考案の一実施形態に係る旋回鉢構造を土耕用植栽鉢に応用した状態を示す組立斜視図である。
【図２】図２は、本考案の一実施形態に係る旋回鉢構造を水耕用植栽鉢に応用した状態を示す組立斜視図である。
【図３】図３は、本考案の一実施形態に係る旋回鉢構造を土耕用植栽鉢に応用した状態を示す分解斜視図である。
【図４】図４は、本考案の一実施形態に係る旋回鉢構造を水耕用植栽鉢に応用した状態を示す分解斜視図である。
【図５】図５は、本考案の一実施形態に係る旋回鉢構造を土耕用植栽鉢に応用した状態を示す組立断面図である。
【図６】図６は、本考案の一実施形態に係る旋回鉢構造を水耕用植栽鉢に応用した状態を示す組立断面図である。
【図７】図７は、本考案の一実施形態に係る旋回鉢構造を土耕用植栽鉢に応用した使用状態の説明図である。
【図８】図８は、本考案の一実施形態に係る旋回鉢構造を水耕用植栽鉢に応用した使用状態の説明図である。
【図９】図９は、本考案の一実施形態に係る旋回鉢構造の旋回プレート体を旋回させ、植付ける者が植栽を鑑賞し、植栽が日光を浴びる状態の説明図である。
【考案を実施するための形態】
【０００９】
まず、図１〜図８を参照する。図１〜図８に示すように、本考案の一実施形態に係る旋回鉢構造は、少なくとも鉢本体１０、旋回プレート体２０及び固定座から構成されてなる。
【００１０】
鉢本体１０の内部には、水受空間１１が形成される。鉢本体１０上には、旋回プレート体２０が蓋設される。
【００１１】
旋回プレート体２０の底部には、下向きに延びたフランジ２１が取り囲むように設けられる。フランジ２１の外径は、鉢本体１０の内径に等しく、旋回プレート体２０のフランジ２１が鉢本体１０上に嵌設される。旋回プレート体２０の外側面には、外方に延びたレバー２２が設けられ、使用者はレバー２２を用いて旋回プレート体２０を旋回させることができる。旋回プレート体２０の表面の等分位置には、複数のホール２３が形成され、複数のホール２３を複数の土耕用植栽鉢１又は複数の水耕用植栽鉢２として用いる。旋回プレート体２０の表面には、複数のホール２３間に位置する円形をなす複数の通気孔２４又は長円形をなす複数の通気溝２５が形成され、鉢本体１０内部の水受空間１１の熱気又は水気が通気孔２４又は通気溝２５を介して発散され、鉢本体１０内部の水受空間１１に空気を流通させるため、病菌が増殖して根部が腐敗することを防ぎ、植物を健康に成長させることができる。
【００１２】
上述した各部材構造を組み合わせて本考案の旋回鉢構造を構成する。以下、本考案の旋回鉢構造の実際の操作について説明する。
【００１３】
図９を参照する。図９は、本考案の一実施形態に係る旋回鉢構造の旋回プレート体を旋回させ、植付ける者が植栽を鑑賞し、植栽が日光を浴びる状態の説明図である。図９に示すように、旋回プレート体２０の外側面には、外方に延びたレバー２２が設けられ、使用者がレバー２２を用いて旋回プレート体２０を旋回させて植物を様々な角度で鑑賞することができるとともに、使用者がレバー２２を用いて旋回プレート体２０を旋回させて旋回プレート体２０の角度を変え、植物が日光を十分に浴びて光合成を行い、植物を病害から守り、順調に成長させることができる。
【符号の説明】
【００１４】
１  土耕用植栽鉢
２  水耕用植栽鉢
１０  鉢本体
１１  水受空間
２０  旋回プレート体
２１  フランジ
２２  レバー
２３  ホール
２４  通気孔
２５  通気溝
【図１】
0003215647.tif 000003
【図２】
0003215647.tif 000004
【図３】
0003215647.tif 000005
【図４】
0003215647.tif 000006
【図５】
0003215647.tif 000007
【図６】
0003215647.tif 000008
【図７】
0003215647.tif 000009
【図８】
0003215647.tif 000010
【図９】
0003215647.tif 000011